(57)【要約】【課題】仕切範囲をフレキシブルに変更でき、限定的な設置スペースに設置可能な仕切装置を提供する。【解決手段】仕切装置１は、シート状部材２と、シート状部材２の長手方向が巻回されたロール部材３。さらに、鉛直方向に沿って立設する２本の支持柱４と、支持柱４に着脱可能な、少なくとも２個の接続部材５とを備える。ロール部材３は、幅方向の両端部にロール軸部１３が形成されている。接続部材５は、支持柱４に対して鉛直方向に沿う方向に移動可能であって、支持柱４の所定の位置に固定可能な第一接続部５ａを備える。さらに、接続部材５は、ロール軸部１３と着脱可能な第二接続部５ｂを備える。ロール軸部１３は、第二接続部５ｂに対してロール部材３の軸中心周りに回動可能である。シート状部材２は、ロール部材３から水平方向に沿う方向である第一引出方向に引き出し可能である。【選択図】図１
0003227852.tif 000002
【実用新案登録請求の範囲】
【請求項１】
幅方向に所定の幅を有し、前記幅方向と直交する長手方向に所定の長さ延びるシート状部材（２）と、
前記シート状部材の前記長手方向が巻回されたロール部材（３）と、
鉛直方向に沿って立設される２本の支持柱（４）である、第一支持柱（４ａ）と第二支持柱（４ｂ）と、
前記支持柱に着脱可能な、少なくとも２個の接続部材（５）と
を備え、
前記ロール部材は、前記幅方向の両端部にロール軸部（１３）が形成され、
前記接続部材は、前記支持柱に対して鉛直方向に沿う方向に移動可能であって、該支持柱の所定の位置に固定可能な第一接続部（５ａ）と、前記ロール軸部と着脱可能な第二接続部（５ｂ）を備え、
前記ロール部材は、両端部の前記ロール軸部が前記第二接続部に装着されて、該ロール部材の軸中心周りに回動可能であり、
２個の前記接続部材が一つの前記支持柱に装着され、鉛直方向の上側に位置する該接続部材の前記第二接続部が、鉛直方向に沿う方向の下側に向き、鉛直方向の下側に位置する該接続部材の前記第二接続部が、鉛直方向に沿う方向の上側に向く状態を第一状態とし、
２個の前記接続部材は、前記第一状態で前記第一支持柱に装着され、
前記ロール部材は、前記接続部材に装着されて鉛直方向に沿う方向へ向き、
前記シート状部材は、前記ロール部材から水平方向に沿う方向である第一引出方向に引き出され、
前記ロール部材から引き出される前記シート状部材の前記長手方向におけるシート端部（２ａ）は、前記第二支持柱に支持される仕切装置（１、１ａ）。
【請求項２】
前記シート状部材は、前記ロール部材から、前記第一引出方向と、鉛直方向に沿う方向である第二引出方向とに選択的に引き出し可能であって、
前記第二接続部は、前記接続部材に対し、前記ロール部材を鉛直方向に沿う方向、及び水平方向に沿う方向に選択的に支持できるように回動可能であり、
前記接続部材は２個備えられ、
前記シート状部材が前記第一引出方向へ引き出される場合は、２個の前記接続部材が前記第一状態で前記第一支持柱に装着され、
前記シート状部材が前記第二引出方向へ引き出される場合は、
前記接続部材は、前記第一支持柱と前記第二支持柱のそれぞれに１個ずつ装着され、前記接続部材の前記第二接続部は、互いに水平方向に沿う方向に対向する第二状態とされ、
前記ロール部材は、前記接続部材に装着されて水平方向に沿う方向へ向き、
前記ロール部材から引き出される前記シート状部材の前記シート端部は、該ロール部材よりも鉛直方向の下側に位置する請求項１に記載の仕切装置（１ｂ）。
【請求項３】
前記シート端部を支持するシート支持部材（６）を備え、
前記シート支持部材は、両端部に前記第二接続部に着脱可能な支持軸部（１６）を備え、
前記接続部材はさらに２個加えた４個を備え、鉛直方向に沿って立設される前記第一支持柱と前記第二支持柱のそれぞれにおいて、鉛直方向の上側と下側に位置するように２個ずつ装着され、
前記シート状部材が前記第一引出方向へ引き出される場合は、
前記第二支持柱に装着される２個の前記接続部材が前記第一状態とされ、
前記シート支持部材が、前記接続部材に装着されて鉛直方向に沿う方向へ向き、前記シート端部を支持することにより、前記第二支持柱は前記シート支持部材を介して前記シート端部を支持し、
前記シート状部材が前記第二引出方向へ引き出される場合は、
前記第一支持柱と前記第二支持柱とにおいて、鉛直方向の上側に位置する前記接続部材と下側に位置する前記接続部材は、それぞれが前記第二状態とされ、
前記シート支持部材は、鉛直方向の下側に位置する前記接続部材に装着されて水平方向に沿う方向へ向き、前記シート端部を支持する請求項２に記載の仕切装置（１ｃ、１ｃ）。
【請求項４】
前記シート支持部材は、前記支持軸部（１６）が前記第二接続部に対して回動可能であり、前記シート端部を支持しつつ、前記ロール部材から引き出される前記シート状部材を巻取可能である請求項３に記載の仕切装置（１ｃ）。
【考案の詳細な説明】
【技術分野】
【０００１】
本考案は、シート状部材を使用して、共有スペース等を簡易的に仕切るための
仕切装置に関する。
【背景技術】
【０００２】
従来、事務所、薬局、或いは病院等で、共有スペース等の領域を仕切ることによって、ウイルス、或いは病原菌等の飛散を防止する装置が提案されている。例えば、特許文献１の隔離ユニットは、支柱部材と梁部材とを継手部材を介して連結してフレームを組み立て、その外周部および／または内部に隔離シートを装着するものである。
【先行技術文献】
【特許文献】
【０００３】
【特許文献１】特開２０１２−９５８５８号公報
【考案の概要】
【考案が解決しようとする課題】
【０００４】
しかしながら、特許文献１に記載の隔離ユニットは、支柱部材等が連結して組み立てられたフレームを使用するため、フレームの設置スペースが必要になる。また、隔離シートは、フレームの外周部等に装着されるため、隔離できる範囲が固定的となり、必要な場所、或いは必要な範囲に対して臨機応変に変更することが困難である。
【０００５】
そこで、本考案の目的は、仕切範囲をフレキシブルに変更でき、限定的な設置スペースに設置可能な仕切装置を提供することにある。
【課題を解決するための手段】
【０００６】
本考案に係る仕切装置（１）は、幅方向に所定の幅を有し、前記幅方向と直交する長手方向に所定の長さ延びるシート状部材（２）と、前記シート状部材の前記長手方向が巻回されたロール部材（３）と、鉛直方向に沿って立設される２本の支持柱（４）である、第一支持柱（４ａ）と第二支持柱（４ｂ）と、前記支持柱に着脱可能な、少なくとも２個の接続部材（５）とを備え、前記ロール部材は、前記幅方向の両端部にロール軸部（１３）が形成され、前記接続部材は、前記支持柱に対して鉛直方向に沿う方向に移動可能であって、該支持柱の所定の位置に固定可能な第一接続部（５ａ）と、前記ロール軸部と着脱可能な第二接続部（５ｂ）を備え、前記ロール部材は、両端部の前記ロール軸部が前記第二接続部に装着されて、該ロール部材の軸中心周りに回動可能であり、２個の前記接続部材が一つの前記支持柱に装着され、鉛直方向の上側に位置する該接続部材の前記第二接続部が、鉛直方向に沿う方向の下側に向き、鉛直方向の下側に位置する該接続部材の前記第二接続部が、鉛直方向に沿う方向の上側に向く状態を第一状態とし、２個の前記接続部材は、前記第一状態で前記第一支持柱に装着され、前記ロール部材は、前記接続部材に装着されて鉛直方向に沿う方向へ向き、前記シート状部材は、前記ロール部材から水平方向に沿う方向である第一引出方向に引き出され、前記ロール部材から引き出される前記シート状部材の前記長手方向におけるシート端部（２ａ）は、前記第二支持柱に支持される。
【０００７】
また、前記仕切装置は、前記シート状部材が、前記ロール部材から、前記第一引出方向と、鉛直方向に沿う方向である第二引出方向とに選択的に引き出し可能であって、前記第二接続部は、前記接続部材に対し、前記ロール部材を鉛直方向に沿う方向、及び水平方向に沿う方向に選択的に支持できるように回動可能であり、前記接続部材は２個備えられ、前記シート状部材が前記第一引出方向へ引き出される場合は、２個の前記接続部材が前記第一状態で前記第一支持柱に装着され、前記シート状部材が前記第二引出方向へ引き出される場合は、前記接続部材は、前記第一支持柱と前記第二支持柱のそれぞれに１個ずつ装着され、前記接続部材の前記第二接続部は、互いに水平方向に沿う方向に対向する第二状態とされ、前記ロール部材は、前記接続部材に装着されて水平方向に沿う方向へ向き、前記ロール部材から引き出される前記シート状部材の前記シート端部は、該ロール部材よりも鉛直方向の下側に位置してもよい。
【０００８】
また、前記仕切装置は、前記シート端部を支持するシート支持部材（６）を備え、前記シート支持部材は、両端部に前記第二接続部に着脱可能な支持軸部（１６）を備え、前記接続部材はさらに２個加えた４個を備え、鉛直方向に沿って立設される前記第一支持柱と前記第二支持柱のそれぞれにおいて、鉛直方向の上側と下側に位置するように２個ずつ装着され、前記シート状部材が前記第一引出方向へ引き出される場合は、前記第二支持柱に装着される２個の前記接続部材が前記第一状態とされ、前記シート支持部材が、前記接続部材に装着されて鉛直方向に沿う方向へ向き、前記シート端部を支持することにより、前記第二支持柱は前記シート支持部材を介して前記シート端部を支持し、前記シート状部材が前記第二引出方向へ引き出される場合は、前記第一支持柱と前記第二支持柱とにおいて、鉛直方向の上側に位置する前記接続部材と下側に位置する前記接続部材は、それぞれが前記第二状態とされ、前記シート支持部材は、鉛直方向の下側に位置する前記接続部材に装着されて水平方向に沿う方向へ向き、前記シート端部を支持してもよい。
【０００９】
また、前記仕切装置の前記シート支持部材は、前記支持軸部（１６）が前記第二接続部に対して回動可能であり、前記シート端部を支持しつつ、前記ロール部材から引き出される前記シート状部材を巻取可能でもよい。
【考案の効果】
【００１０】
本考案の仕切装置によれば、専有される領域が、２本の支持柱４とシート状部材２が引き出される領域なので、限定的なスペースで設置可能である。また、シート状部材はロール部材から引き出して使用可能なので、仕切る範囲を変更可能であり、さらに使用したシート状部材を交換して連続した使用が可能である。
【図面の簡単な説明】
【００１１】
【図１】第一実施形態の仕切装置１ａ、及び第二実施形態の仕切装置１ｂにおいてシート状部材２が第一引出方向に引き出される場合を示した図であり、（ａ）は正面図であり、（ｂ）は平面図である。
【図２】第二実施形態の仕切装置１ｂであって、シート状部材２が第二引出方向に引き出される場合を示した図であり、（ａ）は正面図であり、（ｂ）は平面図である。
【図３】第三実施形態の仕切装置１ｃであって、シート状部材２が第一引出方向に引き出される場合を示した図であり、（ａ）は正面図であり、（ｂ）は平面図である。
【図４】第三実施形態の仕切装置１ｃであって、シート状部材２が第二引出方向に引き出される場合を示した図であり、（ａ）は正面図であり、（ｂ）は平面図である。
【図５】第四実施形態の仕切装置１ｄであって、シート状部材２が第一引出方向に引き出される場合を示した図であり、（ａ）は正面図であり、（ｂ）は平面図である。
【図６】第四実施形態の仕切装置１ｄであって、シート状部材２が第二引出方向に引き出される場合を示した図であり、（ａ）は正面図であり、（ｂ）は平面図である。
【図７】接続部材を説明した図であり、（ａ）は第二接続部５ｂが水平方向に沿う方向に向いた状態を示した斜視図であり、（ｂ）は第二接続部５ｂが鉛直方向に沿う方向のうち、上側に向いた状態を示した斜視図である。
【図８】ロール部材３が、支持柱４に対して鉛直方向に沿う方向に装着される状態を示した斜視図である。
【図９】ロール部材３が、支持柱４に対して水平方向に沿う方向に装着される状態を示した斜視図であり、（ａ）はシート状部材２がシート支持部材６ａに巻取られる場合を示し、（ｂ）はシート端部２ａがシート支持部材６ａに固定される場合を示す。
【考案を実施するための形態】
【００１２】
＜全体構成＞
以下、本考案を具現化した仕切装置１を説明する。まず最初に、図１等を参照して仕切装置１の基本となる全体構成を説明する。仕切装置１は、幅方向に所定の幅を有し、幅方向と直交する長手方向に所定の長さ延びるシート状部材２と、シート状部材２の長手方向が巻回されたロール部材３を備える。さらに、鉛直方向に沿って立設される２本の支持柱４である第一支持柱４ａと第二支持柱４ｂと、支持柱４に着脱可能な、少なくとも２個の接続部材５とを備える。
【００１３】
幅方向と長手方向は、シート状部材２における方向であり、ロール部材３の状態によって異なる。例えば図１に示すようにロール部材３が鉛直方向に沿う方向にある場合は、幅方向は鉛直方向に沿う方向であり、長手方向は水平方向に沿う方向となる。ここで、水平方向に沿う方向とは、厳密に水平方向である必要は無い。水平に対して４５°以内の傾きを含めた範囲である。鉛直方向に沿う方向についても同様で、鉛直方向に対して４５°以内の傾きを含めた範囲内である。
【００１４】
図１等に示すように、ロール部材３は、幅方向の両端部にロール軸部１３が形成されている。接続部材５は、支持柱４に対して鉛直方向に沿う方向に移動可能であって、支持柱４の所定の位置に固定可能な第一接続部５ａを備える。さらに、接続部材５は、ロール軸部１３と着脱可能な第二接続部５ｂを備える。ロール部材３は、両端部のロール軸部１３が第二接続部５ｂに装着されて、ロール部材３の軸中心周りに回動可能である。図７に示すように、第一接続部５ａは、支持柱４に対して固定ネジ５ｅによって固定される。
【００１５】
支持柱４、及び接続部材５の材質は、樹脂、金属、木材、その他の材質を使用することができる。シート状部材２は、透明の場合は例えばＰＶＣ（ポリ塩化ビニル）、その他の樹脂製フィルム等。透明で無い場合は、樹脂製フィルムの他に紙、アルミニウム（アルミ箔）、その他の材質を使用することができる。
【００１６】
ロール部材３は、軸心の周りにシート状部材２が巻回されても良い。軸心の材質は、紙、樹脂、金属、木材、その他でもよい。或いは、軸心が無くシート状部材２が単独で巻回されてロール軸部１３を形成したものでもよい。
【００１７】
＜第一実施形態の説明＞
次に、図１、図２、及び図７から図９を参照して、本考案に係る第一実施形態の仕切装置１ａの構成を説明する。すでに説明した全体構成に関わる要素は説明を省略する。
【００１８】
図１に示すように、仕切装置１ａは、支持柱４が鉛直方向に沿う方向に立設される。シート状部材２は、ロール部材３から水平方向に沿う方向である第一引出方向（図１参照）に引き出し可能である。以下その構成を説明する。
【００１９】
図１、及び図８に示すように、第一引出方向の場合は、第二接続部５ｂは、ロール部材３を鉛直方向に沿う方向に支持可能である。第一状態を次のように定義する。２個の接続部材５が一つの支持柱４に装着され、鉛直方向の上側に位置する接続部材５の第二接続部５ｂが、鉛直方向に沿う方向の下側に向き、鉛直方向の下側に位置する接続部材５の第二接続部５ｂが、鉛直方向に沿う方向の上側に向く状態を第一状態とする。
【００２０】
２個の接続部材５は、第一状態で第一支持柱４ａに装着される。ロール部材３は、接続部材５に装着されて鉛直方向に沿う方向へ向く。シート状部材２は、ロール部材３から水平方向に沿う方向である第一引出方向に引き出される。ロール部材３から引き出されるシート状部材２の長手方向におけるシート端部２ａは、第二支持柱４ｂに支持される。
【００２１】
なお、２個の接続部材５は同様の形態であり、鉛直方向の上側と下側とでは、第一支持柱４ａに装着する方向が逆である。また、第二接続部５ｂは、後述するように回動軸５ｃを備えて接続部材５に対して約９０°回動可能に形成されてもよいし、回動せずに固定されてもよい。
【００２２】
＜第二実施形態の説明＞
次に、図１、図２、図７から図９を参照して、本考案に係る第二実施形態の仕切装置１ｂを説明する。以下に説明するように、シート状部材２がロール部材３から水平方向に沿う方向である第一引出方向、及び水平方向に沿う方向である第二引出方向とに選択的に引出可能である。図１、及び図８に示すように、仕切装置１ｂにおいて、シート状部材２が第一引出方向に引き出される構成は、仕切装置１ａと共通なので、説明は省略する。図７（ａ）、（ｂ）に示すように第二接続部５ｂは、接続部材５に対し、ロール部材３を鉛直方向に沿う方向、及び水平方向に沿う方向に選択的に支持できるように回動可能である。具体的には、第二接続部５ｂは回動軸５ｃが形成され、接続部材５に対して、約９０°回動可能である。接続部材５は２個備えられる。すでに説明したように、シート状部材２が第一引出方向へ引き出される場合は、図１に示すように２個の接続部材５が第一状態で第一支持柱４ａに装着される。
【００２３】
シート状部材２が第二引出方向に引き出される場合は、図２、及び図９に示すように、接続部材５は、第一支持柱４ａと第二支持柱４ｂのそれぞれに１個ずつ装着され、接続部材５の第二接続部５ｂは、互いに水平方向に沿う方向に対向する第二状態とされる。ここで、互いに水平方向に沿う方向に対向するとは、２個の接続部材５における第二接続部５ｂが、鉛直方向に対してほぼ同じ高さにあって、円筒部５ｄが互いに向き合うことでロール部材３のロール軸部１３（後述するシート支持部材６の支持軸部１６も同様）を略水平な状態で装着可能にすることである。ロール部材３は、接続部材５に装着されて水平方向に沿う方向へ向く。ロール部材３から引き出されるシート状部材２のシート端部２ａは、ロール部材３よりも鉛直方向の下側に位置する。以上の構成により、仕切装置１ｂは、シート状部材２を第一引出方向、及び第二引出方向へ選択的に引き出し可能となる。
【００２４】
＜仕切装置１ａ、１ｂの使用方法＞
次に、図１、図２、及び図７から図９を参照して、仕切装置１ａ、１ｂの使用方法を説明する。仕切装置１ａ、１ｂ（後述する仕切装置１ｃ、１ｄも同様）は、例えばウイルス、病原菌、粉塵等の飛散を防止する目的で、ある区画を仕切るために使用することができる。病院、或いは薬局の受付等で、来客者と事務員等との間を仕切り、仮にいずれか一方の人が保菌者であっても、他方の人に感染することを防止する効果が期待される。
【００２５】
図１を参照して、仕切装置１ａと仕切装置１ｂに共通する使用方法を説明する。シート状部材２を第一引出方向である、水平方向に沿う方向に引き出す場合を説明する。第一支持柱４ａと第二支持柱４ｂは、設置具等（図示しない）によって設置対象である机等に設置する。図８に示すように、第一支持柱４ａに接続部材５を２個取り付ける。この場合、下側の接続部材５は、第二接続部５ｂが上側を向くように回動軸５ｃのまわりに回動させておく。上側の接続部材５は、第二接続部５ｂが下側を向くようにしておく。なお、仕切装置１ａの場合は、第二接続部５ｂがこの状態に固定されたものでもよい。このとき、第一支持柱４ａに対して、上側の接続部材５は、下側の接続部材５とは逆方向から挿入する。第二接続部５ｂは、図７（ａ）に示す例では、接続部材５に対して回動軸５ｃの周りに９０°の範囲で回動可能であるが１８０°回動できないので、接続部材５を逆方向から挿入する必要がある。この状態が第一状態である。
【００２６】
ロール部材３は、ロール軸部１３を上側と下側の第二接続部５ｂに挿入して鉛直方向に沿う方向に装着する。このとき、２個の接続部材５は、予め一方の第一接続部５ａを支持柱４に固定し、それぞれの第二接続部５ｂにロール軸部１３を挿入した後に、他方の第一接続部５ａを支持柱４に固定する。
【００２７】
図１に示すように、第二支持柱４ｂはシート状部材２を引き出して仕切を形成する範囲に合わせて設置する。ロール部材３から引き出したシート状部材２を一旦第一支持柱４ａに沿わせ（図１（ｂ）参照）、シート端部２ａを第二支持柱４ｂに支持する。シート端部２ａはマグネットシート７によって第二支持柱４ｂに支持する。なお、第二支持柱４ｂが金属等の磁性体の場合はマグネットシート７を使用するが、その他の場合は、クリップその他（図示せず）によって第二支持柱４ｂに支持する。また、ロール部材３から引き出したシート状部材２を一旦第一支持柱４ａに沿わせる例を示したが、第一支持柱４ａに沿わせることなく直接第二支持柱４ｂに支持してもよい。
【００２８】
シート状部材２は、一定期間使用するとウイルス、病原菌、或いは粉塵等が付着する可能性があるので、取替が必要となる。このとき、図１に示すように、シート状部材２を、切断線２ｂの付近でカッターナイフ、ハサミ等で切断する。切断したシート状部材２は廃棄する。継続して使用するときは、ロール部材３からシート状部材２を水平方向に沿う方向に引き出して第二支持柱４ｂに支持して使用する。
【００２９】
次に、図２を参照して、仕切装置１ｂの使用方法のうち、シート状部材２を第二引出方向である鉛直方向に沿う方向に引き出す場合を説明する。第一支持柱４ａと第二支持柱４ｂは、設置具等（図示しない）によって設置対象である机等に設置する。図２に示すように、第一支持柱４ａと第二支持柱４ｂそれぞれに、接続部材５を１個ずつ取り付ける。図７（ａ）、図９に示すように、接続部材５の第二接続部５ｂは、水平方向に沿う方向に向ける。すなわち、第二状態とする。
【００３０】
ロール部材３は、両端部のロール軸部１３を第一支持柱４ａと第二支持柱４ｂの第二接続部５ｂにそれぞれ挿入する。第一支持柱４ａと第二支持柱４ｂとの水平方向における間隔は、ロール部材３の幅方向の長さによって決められる。図９は後述する仕切装置１ｃ、１ｄを示した図であるが、第二接続部５ｂにロール部材３を取り付ける方法は同様である。シート状部材２は、ロール部材３から第二引出方向である鉛直方向に沿う方向に引き出す。シート状部材２を引き出す量は、仕切に要する長さに対応する。使用後のシート状部材２は、図２に示す切断線２ｂの沿ってカッターナイフ等で切断し、廃棄する。
【００３１】
＜第一実施形態の効果＞
以上説明したように、仕切装置１ａ、１ｂは種々の課題を解決し、効果を奏する。特許文献１等の従来例は、フレーム等の設置スペースが必要になり、隔離シートは隔離できる範囲が固定的となり、必要な場所、或いは必要な範囲に対して臨機応変に変更することが困難であるという課題があった。
【００３２】
この課題に対し、本考案に係る第一実施形態である仕切装置１ａは、専有される領域が、２本の支持柱４とシート状部材２が引き出される領域なので、限定的なスペースで設置可能である。仕切装置１ａによって仕切られる範囲は、シート状部材２を第一引出方向に引き出す量によって可変なので、仕切る範囲を任意に設定できる。シート状部材２は、さらにロール部材３から引出すことにより、いちいち取り替えることなく連続使用が可能である。病院、薬局の待合室等に設置したときに、一定時間使用したシート状部材２を取替ながら使用できるので、衛生的であり、かつ効率的である。
【００３３】
＜第二実施形態の効果＞
また、使用環境に応じてシート状部材２を水平方向に沿う方向に長く引き出したい場合と、鉛直方向に沿う方向に長く引き出したい場合とに対応したいという課題がある。この課題に対し、仕切装置１ｂのシート状部材２は、ロール部材３から引き出す引出方向が第一引出方向と第二引出方向とに選択可能なので、仕切位置或いは仕切範囲を変更可能である。一つの装置で複数の使用形態を実現できるため、応用範囲が広い装置である。
【００３４】
＜第三実施形態の説明＞
次に、図３、及び図４を参照して本考案に係る第三実施形態の仕切装置１ｃの構成を説明する。なお、仕切装置１ｂと共通の構成は説明を省略する。仕切装置１ｃは、仕切装置１ｂの構成に対して以下の要素が加えられる。仕切装置１ｃは、シート端部２ａを支持するシート支持部材６を備える。シート支持部材６は、両端部に第二接続部５ｂに着脱可能な支持軸部１６を備える。接続部材５はさらに２個加えた４個を備え、鉛直方向に沿って立設される第一支持柱４ａと第二支持柱４ｂのそれぞれにおいて、鉛直方向の上側と下側に位置するように２個ずつ装着される。
【００３５】
図３に示すように、シート状部材２が第一引出方向に引き出される場合は、さらに第二支持柱４ｂに装着される２個の接続部材５が、前述した第一状態とされる。シート支持部材６が、接続部材５に装着されて鉛直方向に沿う方向へ向き、シート端部２ａを支持することにより、第二支持柱４ｂはシート支持部材６を介してシート端部２ａを支持する。シート支持部材６の材質は、金属、樹脂、紙、木材、その他の材質を使用可能である。
【００３６】
図４に示すように、シート状部材２が第二引出方向に引き出される場合は、第一支持柱４ａと第二支持柱４ｂとにおいて、鉛直方向の上側に位置する接続部材５と下側に位置する接続部材５は、それぞれが前述した第二状態とされる。シート支持部材６は、鉛直方向の下側に位置する接続部材５に装着されて水平方向に沿う方向へ向き、シート端部２ａを支持する。なお、ロール部材３については、シート状部材２が第一引出方向、及び第二引出方向に引き出されるそれぞれの場合において、仕切装置１ｂと同様なので説明は省略する。
【００３７】
以上の構成により、仕切装置１ｃは、シート状部材２を第一引出方向、及び第二引出方向へ選択的に引き出し可能となり、シート端部２ａはいずれも支持される。
【００３８】
＜仕切装置１ｃの使用方法＞
次に、図３、図４、図７から図９を参照して、仕切装置１ｃの使用方法を説明する。仕切装置１ｃも、仕切装置１ａ、１ｂと同様の用途に使用される。なお、第一引出方向、及び第二引出方向のいずれにおいても、ロール部材３の取付方法は仕切装置１ａと同様なので、説明は省略する。
【００３９】
図３を参照して、シート状部材２を第一引出方向である、水平方向に沿う方向に引き出す場合を説明する。支持柱４は、仕切装置１ｂと同様に、設置具等（図示しない）によって設置対象である机等に設置する。第一支持柱４ａと同様に、第二支持柱４ｂにも接続部材５を２個取り付ける。この場合も、接続部材５における第二接続部５ｂが向く方向は第一支持柱４ａと同様である（第一状態）。図８は第一支持柱４ａにロール部材３が取り付けられる状態を示すが、第二支持柱４ｂに対してシート支持部材６もロール部材３と同様に取り付ける。
【００４０】
図３に示すように、第二支持柱４ｂも仕切装置１ｂと同様に設置する。図３（ｂ）に示すように、ロール部材３から引き出したシート状部材２を一旦第一支持柱４ａに沿わせ、さらに第二支持柱４ｂの沿わせることで張り、シート端部２ａをシート支持部材６に支持する。なお、シート状部材２は、第一支持柱４ａ及び第二支持柱４ｂに沿わせることなく、ロール部材３から直接シート支持部材６に支持してもよい。或いは、シート状部材２は、第一支持柱４ａ或いは第二支持柱４ｂのいずれか一方に沿わせてもよい。
【００４１】
シート支持部材６が金属等の磁性材の場合、シート端部２ａはマグネットシート７によってシート支持部材６に支持する。シート支持部材６が非磁性体の場合、クリップ等の留め具によってシート端部２ａを支持する。また、シート支持部材６は、図示しないがシート端部２ａを挿入可能な切欠き、或いはマグネットシート７を挿入可能な凹部を設けることにより、シート端部２ａを確実に固定することも可能である。一定期間使用後のシート状部材２の処理方法は、仕切装置１ａ、１ｂと同様なので説明は省略する。
【００４２】
図４を参照して、シート状部材２を第二引出方向である、鉛直方向に沿う方向に引き出す場合を説明する。仕切装置１ｃは、仕切装置１ｂに対して、第一支持柱４ａと第二支持柱４ｂにそれぞれ接続部材５を２個ずつ取り付けることと、シート支持部材６を使用する点が異なる。仕切装置１ｂと異なる点のみ説明する。接続部材５は、仕切装置１ｂの第二引出方向の場合に対して、鉛直方向に沿う方向の下側にさらにそれぞれ追加して装着する。第二接続部５ｂの向きは、鉛直方向の上側の接続部材５と同様の向きにする（第二状態）。シート支持部材６は、両側の支持軸部１６を第二接続部５ｂに装着する。シート端部２ａは、第一引出方向へ引き出す場合と同様に、シート支持部材６に支持する。一定期間使用したシート状部材２は、図４に示す切断線２ｂ付近をカッターナイフ等で切断し、廃棄する。
【００４３】
＜第三実施形態の効果＞
以上説明したように、仕切装置１ｃは仕切装置１ｂの効果に加えてさらなる課題を解決し、効果を奏する。シート状部材２が第一引出方向に引き出される場合、シート端部２ａはシート支持部材６に支持されることにより、より確実に支持される。また、シート状部材２は、ロール部材３とシート支持部材６との間に第一支持柱４ａと第二支持柱４ｂに沿わせることにより、第一引出方向に張った状態で支持することができる。この場合、特にシート状部材２は張力が加えられて支持されるので、風等が当たっても揺らぐことを防止できる。
【００４４】
また、シート状部材２が第二引出方向に引き出される場合は、シート端部２ａがシート支持部材６に支持されるので、シート端部２ａが揺らぐことなく第二引出方向に張った状態にすることができる。
【００４５】
＜第四実施形態の構成＞
次に、図５、及び図６を参照して本考案に係る第四実施形態の仕切装置１ｄの構成を説明する。仕切装置１ｄは、仕切装置１ｃに対して以下の要素が加わる。シート支持部材６ａは、支持軸部１６が第二接続部５ｂに対して回動可能であり、シート端部２ａを支持されつつ、ロール部材３から引き出されるシート状部材２を巻取可能である。シート状部材２を第一引出方向へ引き出す場合と、第二引出方向へ引き出す場合については、仕切装置１ｂと同様である。
【００４６】
＜仕切装置１ｄの使用方法＞
次に、図５、図６、及び図９を参照して、仕切装置１ｄの使用方法を説明する。仕切装置１ｄは、仕切装置１ｃに対して以下の使用方法が異なる。なお、シート状部材２を第一引出方向に引き出す場合も、第二引出方向に引き出す場合も次の操作は同様である。シート状部材２は、シート端部２ａをシート支持部材６ａに支持させた上で巻回する。シート端部２ａは、シート支持部材６ａに対し、テープ止め或いは接着によって固定するか、或いは単に巻き込むことで固定してもよい。使用はじめの状態では、シート端部２ａがシート支持部材６ａに支持されて露出した状態である。
【００４７】
仕切装置１ｄは、一定時間使用されるとシート状部材２の表面に、ウイルス、病原菌、或いは粉塵等が付着する可能性がある。その場合ロール部材３から露出していた量のシート状部材２を引出し、引き出された量のシート状部材２をシート支持部材６ａによって巻き込みながら巻回する。これらの操作により、使用者は使用済みのシート状部材２を切断して廃棄する代わりにシート支持部材６ａに巻回して回収する。
【００４８】
＜第四実施形態の効果＞
以上説明したように、本考案に係る第四実施形態である仕切装置１ｄは、仕切装置１ｃの効果に加えて、さらに種々の課題を解決し、効果を奏する。使用済みのシート状部材２は、交換頻度が高くなるにつれて、取付けおよび廃棄作業が多くなるという課題がある。この課題に対し、仕切装置１ｄはシート状部材２をシート支持部材６ａに巻回することにより、使用済みのシート状部材２が回収される。よって、シート状部材２を切断し、廃却する作業を省略することができる。なお、ウイルス等が付着した可能性があるシート状部材２はシート支持部材６ａにそのまま保持される。しかしながら、シート状部材２は巻回されるので、使用済みの部分は巻き込まれて露出する部分はわずかである。よって、シート状部材２の表面に付着した可能性があるウイルス等が再び飛散することを防止できる。
【産業上の利用可能性】
【００４９】
仕切装置１は、シート状部材２を引出して一定の範囲で仕切ることにより、ウイルス、病原菌、或いは粉塵等の飛散を防ぐ用途に使用できる。
【符号の説明】
【００５０】
１、１ａ、１ｂ、１ｃ、１ｄ    仕切装置
２    シート状部材
２ａ    シート端部
３    ロール部材
４    支持柱
４ａ    第一支持柱
４ｂ    第二支持柱
５    接続部材
５ａ    第一接続部
５ｂ    第二接続部
６、６ａ    シート支持部材
６ｂ    支持軸部
１３    ロール軸部
１６    支持軸部
【図１】
0003227852.tif 000003
【図２】
0003227852.tif 000004
【図３】
0003227852.tif 000005
【図４】
0003227852.tif 000006
【図５】
0003227852.tif 000007
【図６】
0003227852.tif 000008
【図７】
0003227852.tif 000009
【図８】
0003227852.tif 000010
【図９】
0003227852.tif 000011